(57)【要約】【課題】主電源と補助電源とを用いて負荷に電力を供給するに当たり、主電源負担が過度になることを防止する。【解決手段】主電源と補助電源を用いて負荷に電力を供給するものであって、補助電源の電流や電圧を検出し、この検出結果出力が予め設定された値に対して異なる場合に、その異なる度合に応じて主電源への制御電流を調整して主電源の過負担を防止する。【選択図】図１
2008061492.tif 000002
【特許請求の範囲】
【請求項１】
主電源、電気二重層キャパシタからなる補助電源及び負荷とが接続され、前記主電源と前記補助電源とを相分担させて前記負荷に対して電力を供給する電源装置であって、
前記補助電源の出力を検出する出力検出手段と、前記出力検出手段の検出出力に基づいて前記主電源の出力電流の値を制御する電力制御手段とを設けたこと、
を特徴とする電源装置。
【請求項２】
前記出力検出手段は前記補助電源の出力電流を検出する電流検出手段であり、
前記電力制御手段は、前記電流検出手段からの検出出力が、予め定められた第１の設定値よりも小さい場合は前記主電源の出力電流値を減少させ、あるいは、第２の設定値よりも大きい場合には前記主電源の出力電流値を増加させるように制御すること、
を特徴とする請求項１記載の電源装置。
【請求項３】
前記出力検出手段は、前記補助電源の出力電圧を検出する電圧検出手段であり、前記電力制御手段は、前記電圧検出手段の出力が、予め設定された第３の設定値よりも低いときには前記主電源の出力電流値を増加させるように制御する請求項１記載の電源装置。
【請求項４】
主電源、電気二重層キャパシタからなる補助電源及び負荷とが接続され、前記主電源と前記補助電源とを相分担させて前記負荷に対して電力を供給する電源装置であって、前記補助電源の出力電流を検出する電流検出手段と、前記補助電源の出力電圧を検出する電圧検出手段と、前記電流検出手段の出力と所定の設定値とを比較し、設定値に対する高低に応じて前記主電源の出力電流を減少又は増大させる制御信号を出力する電流検出処理部と、前記電圧検出手段の出力と予め設定された設定値とを比較し、検出電圧が設定値よりも低いときには前記主電源の出力電流を高める制御信号を出力する電圧検出処理部と、これら電流検出処理部と、電圧検出処理部との出力を切換える切換手段とを備えた電力制御手段と、前記切換手段に切換信号を供給する入力手段とを有することを特徴とする電源装置。
【請求項５】
前記主電源の内部インピーダンスをＺｍ、補助電源の内部インピーダンスをＺｃとしたとき、Ｚｍ≦Ｚｃの関係を満たし、かつ、主電源から供給する電流値をＩｓ（Ａ）、負荷のピーク電流をＩＬｐｅａｋ（Ａ）、補助電源の電圧降下許容幅を△ＶＣＡＰ（Ｖ）、補助電源から負荷へ電力供給することによる負荷電流１周期当たりの補助電源電圧降下幅を△ＶＬ（Ｖ）としたとき、Ｉｓ≧ＩＬｐｅａｋ−（△ＶＣＡＰ−△ＶＬ）／Ｚｃの関係を満たすことを特徴とする請求項１乃至４いずれか１項に記載の電源装置。
【請求項６】
前記請求項１乃至５のいずれか１項に記載の電源装置を画像形成装置の後処理装置に組み込んだ画像形成システム。
【発明の詳細な説明】
【技術分野】
【０００１】
本発明は、主電源と補助電源とを有し、特に補助電源として電気二重層キャパシタを用いた電源装置及び画像形成システムに関する。
【背景技術】
【０００２】
ピークのある負荷に対して、全ての電力を電池やＤＣＰＳ（ＤＣ  Ｐｏｗｅｒ  Ｓｕｐｐｌｙ  Ｓｙｓｔｅｍ）などの主電源から供給する場合、主電源の電力供給能力をピークに合わせる必要がある。しかし、このためにＤＣＰＳの出力トランスを大きくするなど、機器の大型化やコストＵＰを招いていた。
【０００３】
これに対し、上記問題を解決するために、主電源に対して電気二重層キャパシタ（以下、単にキャパシタという。）を用いた補助電源を組み合わせて用いる方法が提案されている。
例えば電源部とキャパシタを有するエネルギー蓄積部との間に、電源部から供給する電流を制御するための電源制御部を設け、電源部の出力電圧が低下した場合主電源からの供給電流を減らし、不足電力をキャパシタから供給する方式が提案されている（特許文献１参照）。
【０００４】
また、電源とキャパシタとの間に正の抵抗温度係数を有するサーミスタ等の可変インピーダンスを用いて、負荷に大きな電流が流れる場合は可変インピーダンスの値が大きくなることを利用して主電源からの電流供給を抑制して、もっぱらキャパシタから電流が供給されるようにしたものが提案されている（特許文献２参照）。
【０００５】
しかしながら、補助電源として使用されるキャパシタの内部インピーダンスが主電源の内部インピーダンスよりも高くなるような構成では補助電源として十分に機能しなくなるという問題を有している。
この問題を説明すると以下の通りである。
キャパシタは一般に１セル当たりの内部インピーダンスは低いが耐圧が２．５Ｖと低いので、上記例のような補助電源として用いる場合は耐圧を高くしなければならないため複数個直列接続して用いる必要がある。このようにすると例えば耐圧２．５Ｖの１セルの内部インピーダンスが、１００ｍΩであるものを１０個直列に接続すると耐圧２５Ｖ／内部インピーダンス１Ωとなってしまう。
これに対して、主電源としてのニッケル水素電池は１セル（１．２Ｖ）当たりの内部インピーダンスは５ｍΩ前後で、２５Ｖとするために２１個直列接続すると内部インピーダンスが約１００ｍΩとなる。一方、ＤＣＰＳを主電源とした場合はその内部インピーダンスが約数１０ｍΩ〜数１００ｍΩとなっている。
従って、補助電源の内部インピーダンスが主電源の内部インピーダンスよりも高くなってしまうことがあり得る。
【０００６】
このように主電源の内部インピーダンスよりも補助電源の内部インピーダンスの方が高くなると、ピーク負荷電流時においては、本来ならば補助電源側から供給されるべき電流が、内部インピーダンスが高いためほとんど主電源側から供給されることになり、補助電源として本来の機能を果たさないという問題が発生する。そして、このためキャパシタの充電エネルギーを活用し得ないこととなってしまう。
さらに、キャパシタから電流を供給する際は、その内部インピーダンスに基づく電圧降下が起きるため、負荷側の最低動作電圧を維持できないという問題も発生する。
【０００７】
【特許文献１】特開２００３−２５０２２８号公報
【特許文献２】特開平７−７５２５１号公報
【発明の開示】
【発明が解決しようとする課題】
【０００８】
本発明は、以上の問題点を解決するために提案されたものであり、主電源と、電気二重層キャパシタからなる補助電源とを組合わせたものであって、補助電源の機能を発揮させると共にキャパシタに蓄積された充電エネルギーを活用することができ、さらに負荷側の最低動作電圧の維持ができる電源装置及び画像形成システムを提供することを目的とするものである。
【課題を解決するための手段】
【０００９】
前記目的を達成するために本発明は以下のような構成を採用した。
ここで、本発明の概要を説明する。
本発明は、負荷に電力を供給するために主電源と補助電源を用いて、それぞれに分担させて供給させるものであって負荷電流にピークが到来したときに、補助電源に生じる電流や電圧を検出しその検出値が設定値を超えたとき、あるいは設定値を下回ったときに主電源の出力電流を制御するものである。
【００１０】
請求項１は主電源、電気二重層キャパシタからなる補助電源及び負荷とが接続され、前記主電源と前記補助電源とを相分担させて前記負荷に対して電力を供給する電源装置であって、前記補助電源の出力を検出する出力検出手段と、前記出力検出手段の検出出力に基づいて前記主電源の出力電流の値を制御する電力制御手段とを設けたこと、を特徴とする電源装置である。
【００１１】
請求項２は、前記出力検出手段は前記補助電源の出力電流を検出する電流検出手段であり、前記電力制御手段は、前記電流検出手段からの検出出力が、予め定められた第１の設定値よりも小さい場合は前記主電源の出力電流値を減少させ、あるいは、第２の設定値よりも大きい場合には前記主電源の出力電流値を増加させるように制御すること、を特徴とする請求項１記載の電源装置である。
【００１２】
請求項３は、前記出力検出手段は、前記補助電源の出力電圧を検出する電圧検出手段であり、前記電力制御手段は、前記電圧検出手段の出力が、予め設定された第３の設定値よりも低いときには前記主電源の出力電流値を増加させるように制御する請求項１記載の電源装置である。
【００１３】
請求項４は、主電源、電気二重層キャパシタからなる補助電源及び負荷とが接続され、前記主電源と前記補助電源とを相分担させて前記負荷に対して電力を供給する電源装置であって、前記補助電源の出力電流を検出する電流検出手段と、前記補助電源の出力電圧を検出する電圧検出手段と、前記電流検出手段の出力と所定の設定値とを比較し、設定値に対する高低に応じて前記主電源の出力電流値を減少又は増大させる制御信号を出力する電流検出処理部と、前記電圧検出手段の出力と予め設定された設定値とを比較し、検出電圧が設定値よりも低いときには前記主電源の出力電流を高める制御信号を出力する電圧検出処理部と、これら電流検出処理部と、電圧検出処理部との出力を切換える切換手段とを備えた電力制御手段と、前記切換手段に切換信号を供給する入力手段とを有することを特徴とする電源装置である。
【００１４】
請求項５は、前記主電源の内部インピーダンスをＺｍ、補助電源の内部インピーダンスをＺｃとしたとき、Ｚｍ≦Ｚｃの関係を満たし、かつ、主電源から供給する電流値をＩｓ（Ａ）、負荷のピーク電流をＩＬｐｅａｋ（Ａ）、補助電源の電圧降下許容幅を△ＶＣＡＰ（Ｖ）、補助電源から負荷へ電力供給することによる負荷電流１周期当たりの補助電源電圧降下幅を△ＶＬ（Ｖ）としたとき、Ｉｓ≧ＩＬｐｅａｋ−（△ＶＣＡＰ−△ＶＬ）／Ｚｃの関係を満たすことを特徴とする請求項１乃至４いずれか１項に記載の電源装置である。
【００１５】
請求項６は、前記請求項１乃至５のいずれか１項に記載の電源装置を画像形成装置の後処理装置に組み込んだ画像形成システムである。
【発明の効果】
【００１６】
主電源と補助電源を用いて負荷に電力を供給する場合に、各電源の分担配分を制御することによって主電源の負担を軽減することができる電源装置及びこの電源を用いた画像形成システムを提供できる。
【発明を実施するための最良の形態】
【００１７】
以下、本発明の実施の形態について説明する。
【００１８】
図１は、本発明の概略ブロック図である。
１は主電源兼充電器（以下主電源と称す）であり、ＡＣ／ＤＣコンバータ又はＤＣ／ＤＣコンバータあるいは蓄電池によって構成されている。
２は、負荷であり主電源１からの電力が供給されて駆動されるものである。
３は、補助電源であり、キャパシタＣ１〜Ｃｎを複数個直列接続して構成され、負荷２に対して主電源１からの電力供給を補助するものである。
前記主電源１と負荷２とは直接接続されており、前記補助電源３は補助電源から供給される電流を検出するため電流検出手段４を介して前記主電源１と負荷２との接続経路に接続されている。また、前記主電源１と負荷２との接続経路と接続端子間に補助電源の出力電圧、すなわち負荷２に印加された電圧を検出するための電圧検出手段５が接続されている。
６は制御手段であり、補助電源から供給される電流Ｉｃと関係付けられ、前記電流検出手段４の出力であるＶｉｃと、前記電圧検出手段５の出力Ｖｈを入力して主電源１に対する制御信号Ｖｉｎを送信するものである。
【００１９】
ここで、本発明が適用される電源装置は以下の関係を満たす仕様に設定されることが好ましい。
前記主電源１の内部インピーダンスをＺｍ、補助電源３の内部インピーダンスをＺｃ、Ｚｍ≦Ｚｃの関係を満たし、かつ、主電源１から供給する最大電流値をＩｓ（Ａ）、負荷２のピーク電流をＩＬｐｅａｋ（Ａ）、補助電源３の電圧降下許容幅を△ＶＣＡＰ（Ｖ）、補助電源３から負荷２へ電力を供給することによる負荷電流１周期当たりの補助電源電圧降下幅を△ＶＬ（Ｖ）としたとき、Ｉｓ≧ＩＬｐｅａｋ−（△ＶＣＡＰ−△ＶＬ）／Ｚｃの関係を満たすように設定しておく。
【００２０】
図２は前記制御手段６をソフトウェアで構成した場合の一例を示すものである。
つまり、ＣＰＵ（Ｃｅｎｔｒａｌ  Ｐｒｏｓｅｓｓｅｒ  Ｕｎｉｔ）６Ａと、ＲＯＭ（Ｒｅａｄ  Ｏｎｌｙ  Ｍｅｍｏｒｙ）やＲＡＭ（Ｒａｎｄｏｍ  Ａｃｓｅｓｓ  Ｍｅｍｏｒｙ）からなるメモリ６Ｂを設けたものである。そして、ＣＰＵ６Ａには前記電流検出手段４の出力Ｖｉｃをディジタル信号に変換するＡ／Ｄ変換器６Ｄと、前記電圧検出手段５の出力Ｖｈをディジタル信号に変換するＡ／Ｄ変換器６Ｅと、各Ａ／Ｄ変換器６Ｄ，６Ｅからのディジタル信号を受けて設定基準値との比較や差分演算等を行う演算部６Ｃ及び前記演算部６Ｃからの演算結果信号をアナログ信号に変換するＤ／Ａ変換器６Ｆが設けられている。
【００２１】
尚、前記メモリ６Ｂ中のＲＯＭには後述する図５，図６に示すフローチャートに従ったプログラムが格納されている。
【００２２】
次に、図３（Ａ），（Ｂ）及び図４のタイムチャートと、前記図５及び図６に示すフローチャートとを参照して本発明の動作説明を行う。
【００２３】
ここで前記動作説明に先立って図３（Ａ），（Ｂ）及び図４のタイムチャートについてその概要を説明する。
図３（Ａ）は縦軸に負荷電流ＩＬ、補助電源電流Ｉｃ、主電源電流Ｉｓを配置し、横軸を時間軸としたものであり、点線で示されたＩ１を本発明における第１設定値としたものである。この第１設定値は、負荷に電流を供給する際、補助電源に負担させるべき電流値であり、言い換えれば、主電源が負担する最大電流を抑制するためのものである。
図３（Ｂ）は前記図３（Ａ）の配列と同様であり、点線で示された電流Ｉ２を第２設定値としている。この第２設定値は、キャパシタ内部インピーダンスのバラツキ等により、想定よりも多くの電流が補助電源から供給される結果、放電が早まってしまうことを防ぐためにあり、言い換えれば、補助電源が負担する最大電流を抑制し、その分を主電源が負担するためのものである。
図４は縦軸に負荷電流ＩＬ、補助電源電流Ｉｃ、補助電源電圧Ｖｃ、主電源電流Ｉｓを配置し、横軸を時間軸としたものであり、点線で示された電圧Ｖｃ３を第３の設定値としたものである。この第３設定値は、補助電源からの電流供給に伴い、その内部インピーダンスに起因する電圧降下量を抑制するためにあり、言い換えれば、負荷供給する電流を、主電源、補助電源で適宜分担させ、負荷に印加される電圧を抑制するためのものである。
【００２４】
（電流検出動作）
先ず、図５を主とした電流検出制御動作を説明する。
以下の動作説明においては、定電流源である主電源１から供給する最大電流は１Ａ〜５Ａまで可変できるものとし、その初期値を３Ａと設定したものと仮定する。
先ず、イニシャル設定として、補助電源３から供給する電源の基準値Ｉ１（第１設定値）とＩ２（第２設定値）、及び主電源から供給する最大電流値Ｉｓ（この場合３Ａ）を設定する（ステップＳ１）。
【００２５】
次に負荷２のＯＮ／ＯＦＦを判断する（ステップＳ２）。
負荷２がＯＮであって負荷に電力が供給されている段階で、次に補助電源３の電流Ｉｃを電流検出手段４によって検出し、その検出結果を制御手段６に入力する。
制御手段６では検出電流Ｉｃが設定値Ｉ１と比較してＩｃがＩ１よりも小さいか否かを判断し（ステップＳ３）、Ｉｃ＜Ｉ１の関係にあれば、次に第１の設定値Ｉ１とＩｃの差分値（Ｉ１−Ｉｃ＝△Ｉ）を計算し、新たな設定値（Ｉｓ’＝Ｉｓ−△Ｉ）を設定して主電源の出力電流Ｉｓを減少させる（つまり、補助電源の負担を増やすように制御する）（ステップＳ４）。
【００２６】
次に前述のように設定された主電源の新たな出力電流Ｉｓ’が可変範囲下限（例えば１Ａ）を下回らないか否かを判断し（ステップＳ５）、下回っていれば下限値（１Ａ）に変更する制御を行う（ステップＳ６）。ここで下限値を下回っていなければ、前記新たな設定値を維持させる（ステップＳ７）。
【００２７】
前記ステップＳ３において、補助電源電流Ｉｃが第１の設定値Ｉ１よりも小さくないと判断された場合は、次にそれ（Ｉｃ）が第２の設定値Ｉ２よりも大きいか（Ｉｃ＞Ｉ２）否かを判断する（ステップＳ９）。
【００２８】
そして、Ｉｃ＞Ｉ２と判断されたときは、その差分（△Ｉ＝Ｉｃ−Ｉ２）を計算し、これに基づく新たな設定値（Ｉｓ’＝Ｉｓ＋△Ｉ）で制御することにより、主電源電流を増加させて、補助電源の負担を減らす（ステップＳ１０）。このように設定された主電源の新たな電流値Ｉｓ’が主電源の可変範囲の上限（例えば５Ａ）を上回らないか否かを判断し（ステップＳ１１）、新たな電流値をＩｓ’が５Ａを上回っていたら５Ａにするように変更制御し（ステップＳ１２）、上回っていなければ新たな設定電流値を維持させる（ステップＳ１３）。
【００２９】
最後に負荷２がＯＦＦされたか否かを判断し、ＯＦＦされていなければ初めのフローに戻り、ＯＦＦされていれば終了する（ステップＳ８）。
【００３０】
（電圧検出動作）
次に図６のフローチャートを参照して電圧検出制御動作を説明する。
以下の動作説明の前提として、主電源から供給する最大電流は１Ａ〜５Ａまで可変できるものとし、主電源への電流指示は０．５Ａ刻みであるとする。
【００３１】
先ず、イニシャル設定を行う。つまり、補助電源電圧の基準値として第３の設定値Ｖｃ３を設定するとともに、主電源から供給される最大電流値の初期値を３Ａに設定する（ステップＳ２１）。次に、負荷のＯＮ／ＯＦＦを判断し、ＯＮであれば次のステップに進む（ステップＳ２２）。
【００３２】
補助電源の電圧Ｖｈを電圧検出手段５によって検出し、第３の設定値Ｖｃ３よりも小さいか否か判断し（ステップＳ２３）、Ｖｈ＜Ｖｃ３であれば、主電源の新たな出力電流値Ｉｓ’を設定する。この場合、０．５Ａ単位で増加させるものとする（ステップＳ２４）。このようにして主電源の負担を増加させて補助電源の負担を軽減する。
【００３３】
そして、新たに設定電流Ｉｓ’が５Ａを越えているかを判断し（ステップＳ２５）、越えていれば５Ａに設定し直し（ステップＳ２６）、越えていなければ新たな設定値を維持する（ステップＳ２７）。最後に負荷がＯＦＦされたか否かを判断し、ＯＦＦされていなければ最初のフローに戻り、ＯＦＦであれば終了する（ステップＳ２８）。
【００３４】
次に図７を参照して本発明の電源装置をハードで構成した場合について説明する。
前記制御手段６の具体的構成例が図７に示されている。
前記制御手段６は、前記電流検出手段４の出力Ｖｉｃを＋側端子に入力し、反転側端子に第１の設定値Ｖｒｅｆ１を入力した第１のコンパレータＣＯＭ１と、前記出力Ｖｉｃを反転側入力端子に入力し、＋側端子に第２の設定値Ｖｒｅｆ２を入力した第２のコンパレータＣＯＭ２と、これら第１と第２のコンパレータＣＯＭ１，ＣＯＭ２の出力によって、３段階の電圧値Ｖ１，Ｖ２，Ｖ３を切換える第１の切換えスイッチＳＷ１と、前記電圧検出手段５の出力Ｖｈを＋側入力端子に入力し、反転入力端子に第３の設定値Ｖｒｅｆ３を入力する第３のコンパレータＣＯＭ３と、この第３のコンパレータＣＯＭ３の出力によって、２段階の電圧値Ｖ４，Ｖ５のいずれかに切換える第２の切換スイッチＳＷ２と、前記第１，第２の切換スイッチの出力のいずれかを外部切換信号に基づいて切換える第３の切換スイッチＳＷ３とから構成されている。
ここで、前記外部切換信号は前記補助電源３の出力電流を検出してその結果によって、主電源の最大出力電流を制御する場合（電流検出制御経路）と、補助電源の出力電圧を検出してその結果によって前記主電源の最大出力電流を制御する場合（電圧検出制御経路）のいずれかを切換えるものであり、任意に選択することができる。
【００３５】
以上の動作を行う制御手段６の動作について図３及び図４を再び参照して説明する。
【００３６】
（電流検出動作）
先ず、図７の下方に示した電流検出手段４からの信号の処理について説明する。この場合外部切換信号は第３のスイッチ手段ＳＷ３を第１のスイッチ手段ＳＷ１側に切換えているものとする。
【００３７】
電流検出手段４での出力Ｖｉｃは、制御手段６に入力され、第１のコンパレータＣＯＭ１のプラス側入力端子及び第２のコンパレータＣＯＭ２の反転側入力端子に入力されて設定基準電圧との比較に供される。ここで、第１のコンパレータＣＯＭ１の設定基準値Ｖｒｅｆ１は前記図３（Ａ）（Ｂ）における第１設定電流値Ｉ１に対応するものとし、また第２のコンパレータＣＯＭ２の設定基準電圧Ｖｒｅｆ２は前記図３（Ｂ）に示された第２の設定電流値Ｉ２に対応するものとして構成されている。
【００３８】
そして、第１及び第２のコンパレータＣＯＭ１，ＣＯＭ２の比較結果出力は、第１のスイッチ手段ＳＷ１に入力されて、スイッチの端子を切換えることになる。
【００３９】
この第１のスイッチＳＷ１にはＶ１，Ｖ２，Ｖ３の３種類の電圧源からの端子が備えられ（Ｖ１＜Ｖ２＜Ｖ３の関係にあるものとする）、前記第１，第２のコンパレータＣＯＭ１，ＣＯＭ２の出力に基づいて切換えられて出力されるようになっている。通常時は中央のＶ２端子に接続されている。
【００４０】
例えば、電流検出手段４からの出力Ｖｉｃが第１のコンパレータＣＯＭ１の基準電圧Ｖｒｅｆ１よりも低い場合には、このコンパレータＣＯＭ１からは切換制御信号が出力され、スイッチ手段ＳＷ１の切換端子をＶ２からＶ１に切換えるように働く。このように通常時の設定電圧よりも低い電圧Ｖ１側に切換えられた第１のスイッチ手段ＳＷ１の出力は、第３のスイッチ手段ＳＷ３を介して電圧Ｖｉｎとして前記主電源１に入力され、主電源側の出力電流Ｉｓを減少させるように制御する。このようにして補助電源の負担を増やすように働く。
【００４１】
一方、電流検出手段４からの出力Ｖｉｃが第２のコンパレータＣＯＭ２の設定基準電圧Ｖｆｅｒ２よりも高い場合には、このコンパレータＣＯＭ２から切換制御信号が出力され、これに基づいて第１のスイッチ手段ＳＷ１の高い電圧端子Ｖ３側に切換えられて、第１のスイッチ手段ＳＷ３を介して主電源１への入力電圧Ｖｉｎとして入力されると、主電源の出力電流Ｉｓを増加させて補助電源の負担を軽減するように働く。
【００４２】
（電圧検出動作）
次に図７の上方に配置されている電圧検出手段からの出力の処理について説明する。この場合には第３のスイッチ手段ＳＷ３は外部切換信号によって第２のスイッチ手段ＳＷ２の出力側に切換えらえる。
【００４３】
電圧検出手段５の出力Ｖｈが、第３のコンパレータＣＯＭ３の設定基準電圧値Ｖｒｅｆ３（図４の第３の設定値に対応する）よりも低い場合には、その出力に基づいて第２のスイッチ手段ＳＷ２の設定電圧端子をＶ４からＶ５（Ｖ４＜Ｖ５）に切換えて第３のスイッチ手段ＳＷ３を介して制御電圧Ｖｉｎとして主電源１に送る。この結果、主電源の出力電流Ｉｓが増加するように制御され、補助電源の負担を減少させる。
以上のようにして負荷へ供給する電流が主電源と補助電源とで分担制御されることになる。
【００４４】
なお、前記電流検出による制御と電圧検出による制御を第３のスイッチ手段ＳＷ３を切換える外部切換信号によって選択するようになっているが、この選択基準は、例えば負荷が周期的にピークに達する動作環境では電流検出制御を選択し、負荷が瞬時的にピークに達する場合（瞬時電流が流れる場合）が生じ易い環境下では電圧検出制御を選択するというように任意に切換えるようにすることが好ましい。
【００４５】
図８は前記電源装置を備えた画像形成システムを示すものである。
同図に示すように、ＤＣ電源１０Ａを備えた画像形成装置１０に後処理装置（例えばフィニッシャ）１１を組み合わせたものであり、この後処理装置１１に前述の主電源１、補助電源３、制御手段６と負荷２との接続構成を適用している。
そして、このようなシステムでは、前記電源装置が前記図５，図６のフローチャートに示したような動作を行って主電源と補助電源の適正な電力供給分配がなされ、主電源が過負荷にならないような動作環境下で画像形成動作を行うことができる画像形成システムが提供される。
【図面の簡単な説明】
【００４６】
【図１】電源装置の概略ブロック図である。
【図２】前記ブロック図中の制御手段の具体的構成図である。
【図３】電流検出制御動作を説明するためのタイムチャートである。
【図４】電圧検出制御動作を説明するためのタイムチャートである。
【図５】電流検出制御動作を説明するためのフローチャートである。
【図６】電圧検出制御動作を説明するためのフローチャートである。
【図７】制御手段のハード構成を示すブロック図である。
【図８】本発明の電源装置を組み込んだ画像形成システムを示すブロック図である。
【符号の説明】
【００４７】
１  主電源
２  負荷
３  補助電源
４  電流検出手段
５  電圧検出手段
６  制御手段
１０  画像形成装置
１１  後処理装置
【図１】
2008061492.tif 000003
【図２】
2008061492.tif 000004
【図３】
2008061492.tif 000005
【図４】
2008061492.tif 000006
【図５】
2008061492.tif 000007
【図６】
2008061492.tif 000008
【図７】
2008061492.tif 000009
【図８】
2008061492.tif 000010